(57)【要約】【課題】単に集水するのみならず、集水した雨水の一部を取水し、ガーデニングや洗車あるいは生活用水として再利用するための機能を具えた雨水集水取水装置を提供する。【解決手段】略長方形の上部開口部１２を有し、複数の竪樋を嵌合接続するとともに、底面の片側に排水下筒１１が形成された集水器本体１と補助部材２とからなる雨水集水取水装置Ａであって、上記補助部材２は、集水器本体１に内嵌する略長方形の支持板２１と、この支持板２１の片側上面に凸設される排水上筒２２と、上記支持板２１の他の側下面に下方に突出して設けられた取水筒部２３とからなり、上記集水器本体１の底部の他の側に穿たれた貫通孔１３に上記取水筒部２３を嵌挿し、上記排水上筒２２と排水下筒２１とを位置合わせし、上記集水器本体１に補助部材２を配設してなる雨水集水取水装置Ａ。【選択図】図１
2009127277.tif 000002
【特許請求の範囲】
【請求項１】
略長方形の上部開口部を有し、複数の竪樋を嵌合接続するとともに、底面の片側に排水下筒が形成された集水器本体と補助部材とからなる雨水集水取水装置であって、上記補助部材は、集水器本体に内嵌する略長方形の支持板と、この支持板の片側上面に凸設される排水上筒と、上記支持板の他の側下面に下方に突出して設けられた取水筒部とからなり、上記集水器本体の底部の他の側に穿たれた貫通孔に上記取水筒部を嵌挿し、上記排水上筒と排水下筒とを位置合わせし、上記集水器本体に補助部材を配設してなる雨水集水取水装置。
【請求項２】
上記補助部材を構成する支持板の略中央部の幅方向に堰部が設けられた請求項１に記載の雨水集水取水装置。
【請求項３】
上記堰部にはＶ字形に切り欠かれたオーバーフロー部が設けられた請求項２に記載の雨水集水取水装置。
【請求項４】
上記補助部材を構成する取水筒部上方の支持板上にはフィルター体が装着された請求項１に記載の雨水集水取水装置。
【発明の詳細な説明】
【技術分野】
【０００１】
本願発明は、雨水集水取水装置に関し、さらに詳しくは、竪樋等、雨水が流れる管路に設けられ、上記管路を流れる雨水を集水装置で集水し、排水するとともに、その一部を生活用水として取り出し、再利用するための雨水集水取水装置に関するものである。
【背景技術】
【０００２】
近年、生活水準の向上に伴って水に対する需要が高まっている。一方、水資源も他の天然資源と同様に、その枯渇が社会問題となりつつあり、生活排水を簡易浄水して再利用する中水道や、雨水の再利用の重要性が増している。そこで、大規模な建物を新築する際には、今まで排水溝に直接排出されていた雨水を集水して大容量の地下タンクに蓄えておき、この雨水をトイレ用、冷暖房用、掃除用等に再利用する試みがなされている。
【０００３】
上記雨水を集水する集水装置としては、種々の技術が知られている。例えば、下記特開平０８−３１２０８０号公報には、略長方形の上部開口部を有する集水器本体の底部に排水筒が形成された竪樋用集水器において、前記集水器本体の前後壁または左右側壁の少なくとも一方に、相対向する位置に、集水器本体内に挿入される竪樋の外面を押圧する押圧具が係止可能に装着される貫通孔が設けられていることを特徴とする竪樋用集水器が開示されている。
【０００４】
この竪樋用集水器Ｃは、本願図６に示すように、硬質塩化ビニル樹脂製の竪樋用の集水器であり、集水器本体５と排水筒８とから構成されている。集水器本体５は前壁５１、後壁５２、左側壁５３、右側壁５４および底壁５５から形成されており、底壁５５は排水落し口６に向かって下方に傾斜されている。集水器本体５の上部には、短辺が外方に僅かに膨出したほぼ長方形状の開口部７が形成され、底壁５５の隅部には排水筒８が偏心して一体に形成されている。排水筒８の形状は三味胴形とされ、その短辺両側部には上下方向に断面コ字形の凹溝８１が形成されている。つまり、接続される竪樋の内面形状に符合する形状とされている。
【０００５】
符号９は板状の案内片であり、竪樋を挿入する際にガイドの役目を果たすと共に、竪樋を直列状態で挿入する場合、隣接する竪樋同士を所定位置に保持する機能を有するものであり、底壁５５の短辺のほぼ中央に長辺方向に沿って所定長さに立設されている。
【０００６】
上記集水器本体５の前後壁５１、５２の上部中央には、それぞれ１個の円形貫通孔５１１、５１２が設けられ、また、左側壁５３、右側壁５４の上部には、それぞれ２個の円形貫通孔５１３、５１４が設けられている。貫通孔５１１は貫通孔５１２と相対向する位置に設けられ、また、貫通孔５１３、５１３は貫通孔５１４、５１４と相対向する位置に設けられている。すなわち、各貫通孔５１１、・・・５１４は図外竪樋本管および竪樋枝管の両側部のほぼ中央に、長手方向に連続して形成された凹溝に対応する位置に設けられている。
【０００７】
上記貫通孔５１１、・・・５１４のいずれかには、図外押圧具（固定ピン）が装着されて係止される。
【０００８】
上記のように構成された竪樋用集水器Ｃは、集水器本体の前後壁または左右側壁の少なくとも一方に、集水器本体内に挿入される竪樋の外面を押圧する押圧具が係止可能に装着される貫通孔が相対向する位置に設けられているので、集水器本体内に竪樋本管および竪樋枝管を挿入した後、上記貫通孔に押圧具を押し込んで係止すると、両竪樋の外面は押圧具の先端にて押圧されてしっかりと固定される、とその効果が述べられている。
【特許文献１】特開平０８−３１２０８０号公報（第１〜３頁、図１、図２、図３）
【発明の開示】
【発明が解決しようとする課題】
【０００９】
上記特許文献１に記載の竪樋用集水器は、竪樋本管および竪樋枝管等、複数の雨水排水管がしっかりと固定され、雨水を集水するためには有利であるが、雨水を取出して、生活用水や洗車用あるいは散水、ガーデニング用として再利用するためのものではない。本願発明は、上記背景技術に鑑みてなしたものであり、その目的は、単に集水するのみならず、集水した雨水の一部を取水し、上記した用途に再利用するための機能を具えた雨水集水取水装置を提供することである。
【課題を解決するための手段】
【００１０】
上記課題を解決するために、本願請求項１記載の発明に係る雨水集水取水装置は、略長方形の上部開口部を有し、複数の竪樋を嵌合接続するとともに、底面の片側に排水下筒が形成された集水器本体と補助部材とからなる雨水集水取水装置であって、上記補助部材は、集水器本体に内嵌する略長方形の支持板と、この支持板の片側上面に凸設される排水上筒と、上記支持板の他の側下面に下方に突出して設けられた取水筒部とからなり、上記集水器本体の底部の他の側に穿たれた貫通孔に上記取水筒部を嵌挿し、上記排水上筒と排水下筒とを位置合わせし、上記集水器本体に補助部材を配設してなることを特徴としている。
【００１１】
本願請求項２記載の発明は、上記請求項１に記載の雨水集水取水装置において、上記補助部材を構成する支持板の略中央部の幅方向に堰部が設けられたことを特徴としている。
【００１２】
本願請求項３記載の発明は、上記請求項２に記載の雨水集水取水装置において、上記堰部にはＶ字形に切り欠かれたオーバーフロー部が設けられたことを特徴としている。
【００１３】
本願請求項４記載の発明は、上記請求項１に記載の雨水集水取水装置において、上記補助部材を構成する取水筒部上方の支持板上にはフィルター体が装着されたことを特徴としている。
【発明の効果】
【００１４】
本願請求項１に記載の発明にかかる雨水集水取水装置は上記のとおりであり、集水器本体と補助部材とからなり、上記補助部材は、集水器本体に内嵌する略長方形の支持板と排水上筒と下方に突出して設けられた取水筒部とからなり、上記排水上筒と排水下筒とを位置合わせしてなるため、複数の竪樋、例えば竪樋本管と竪樋枝管とを上記集水器本体の上部開口部に嵌合接続することにより、例えば竪樋本管からの雨水は位置合わせされた排水上筒と排水下筒とを経て流下させ、排水させる雨水集水装置本来の機能を発揮することができる。
【００１５】
また、上記集水器本体の底部に穿たれた貫通孔に上記取水筒部を嵌挿することにより、例えば、竪樋枝管からの雨水を取出して貯水タンクに貯め、洗車用あるいは散水、ガーデニング用として再利用することができる。
【００１６】
本願請求項２に記載の発明にかかる雨水集水取水装置においては、特に、上記補助部材を構成する支持板の略中央部の幅方向に堰部が設けることにより、この堰部で集水部と取水部とが仕切られ、効果的に集水と取水とを行うことができる。
【００１７】
本願請求項３に記載の発明にかかる雨水集水取水装置においては、特に、上記堰部にはＶ字形に切り欠かれたオーバーフロー部を設けることにより、上記集水部が一定の水位に達するとこのオーバーフロー部から取水部に雨水が流入し、雨量が少ないときでも効率的に取水することができる。
【００１８】
請求項４に記載の発明にかかる雨水集水取水装置においては、特に、上記補助部材を構成する取水筒部上方の支持板上にフィルター体を装着することにより、このフィルター体によって雨水中のゴミや落ち葉等の夾雑物を除去することが可能となり、夾雑物を取り除いて得られた清浄な濾過水は風呂や水洗トイレ用等の生活用水として利用することができる。
【発明を実施するための最良の形態】
【００１９】
以下、本願発明の雨水集水取水装置の実施形態について図面を参照して詳細に説明する。図１は、本願発明に係る雨水集水取水装置Ａを示す分解斜視図である。図１に示すように、上記雨水集水取水装置Ａは、集水器本体１と補助部材２とから構成される。上記集水器本体１は、その底面片側に排水下筒１１を具え、上部は開口されて図外２本の竪樋が嵌合接続される開口部１２とされている。一方、底面の排水下筒１１を具えた側とは反対の側には、本来の雨水集水装置にはない貫通孔１３が穿たれている。
【００２０】
一方、上記補助部材２は、略長方形の支持板２１と、この支持板２１の片側上面に凸設され上記排水下筒１１と位置合わせして雨水を排水する排水上筒２２と、上記支持板２１の他の側下面に下方に突出して設けられた取水筒部２３とからなり、この取水筒部２３は上記貫通孔１３に嵌挿され、雨水を再利用するための取水口となる。また、上記補助部材２の支持板２１の略中央部の幅方向には堰部２４が設けられ、この堰部２４にはＶ字形にカットされたオーバーフロー部２４１が設けられている。
【００２１】
図２は、本願発明にかかる本来の雨水集水装置Ｂを示す縦断面図である。図２に示すように、上記雨水集水装置Ｂの開口部１２には２本の図外竪樋、例えば、竪樋本管と竪樋枝管等が嵌合接続され、集められた雨水は排水下筒１１を経て排出される公知の構造を有している。図３は、上記本来の雨水集水装置Ｂの底部において、排水下筒１１が付設されている側とは反対の側に上記貫通孔１３を穿ち、集水器本体１を形成した状態を示す縦断面図である。
【００２２】
図４は、上記のようにして形成された集水器本体１に堰部２４が設けられた補助部材２を内嵌し、本願発明にかかる雨水集水取水装置Ａを構成した状態を示す縦断面図である。図４に示すように、上記貫通孔１３には上記取水筒部２３が挿通されている。上記のように構成することにより、竪樋本管３１の中央部を流下する雨水は、位置合わせされた排水上筒２２と排水下筒１１とを経て直接排水管等の排水経路に排出される。ここで、上記竪樋本管３１の内周壁面を伝って流下した雨水は、堰部２４によって仕切られ、排水上筒２２の周囲に形成された集水部２５に集水される。また、図４に示すように、上記堰部２４の略中央部はＶ字形に切り欠かれてオーバーフロー部２４１が形成されている。このとき、オーバーフロー部２４１のＶ字溝の底部は、排水上筒２２の高さより若干高めに切り欠いて設けられる。
【００２３】
一方、竪樋枝管３２を流下する雨水は上記取水筒部２３を経て取水され、図外貯水タンク等に貯水されて再利用される。雨量が増え、上記集水部２５が一定水位に達すると、この水位を超える雨水は上記オーバーフロー部２４１から取水筒部２３上の取水部２６に流れ込み、上記竪樋枝管３２を流下する雨水と共に上記取水部２６から取水され、再利用される。
【００２４】
図５は、上記取水部２６にフィルター体４を装着し、雨水中に含まれるゴミや落ち葉等の夾雑物を取り除き、清浄にされた濾過水を貯水タンクＴに貯水する状態を示す説明図である。図５には示されていないが、上記取水筒部２３と貯水タンクＴの受水口とはホースや固定配管等の連結手段によって連結されている。上記フィルター体４としては、不織布または、合成樹脂を繊維状に成形して絡み合わせたもの等、公知の濾過材を円筒状のブロックとしたものが用いられる。
【００２５】
以上述べたように、本願発明の雨水集水取水装置Ａを用いれば、公知の雨水集水装置を利用して集水できるとともに、雨水を取水して散水や、洗車用に再利用することができる。さらに、フィルター体４によってゴミや落ち葉等の夾雑物を取り除いて得られた濾過水は風呂や水洗トイレ等の生活用水として利用することもできる。このように少しでも雨水を利用することにより、限られた水資源を有効に利用することができる。
【図面の簡単な説明】
【００２６】
【図１】本願発明に係る雨水集水取水装置を示す分解斜視図。
【図２】本願発明にかかる本来の雨水集水装置を示す縦断面図。
【図３】本願発明にかかる本来の雨水集水装置の底部において、排水下筒が付設されている側とは反対の側に貫通孔を穿ち集水器本体を形成した状態を示す縦断面図。
【図４】本願発明にかかる堰部が設けられた補助部材を集水器本体に内嵌し、雨水集水取水装置を構成した状態を示す縦断面図。
【図５】本願発明にかかる雨水集水取水装置にフィルター体を装着し、雨水中に含まれる夾雑物を取り除き清浄にされた濾過水を貯水タンクに貯水する状態を示す説明図。
【図６】公知の竪樋用集水器を示す斜視図。
【符号の説明】
【００２７】
Ａ      本願発明に係る雨水集水取水装置
Ｂ      本願発明に係る本来の雨水集水装置
Ｔ      貯水タンク
１      集水器本体
１１    排水下筒
１２    開口部
１３    貫通孔
２      補助部材
２１    支持板
２２    排水上筒
２３    取水筒部
２４    堰部
２４１  オーバーフロー部
２５    集水部
２６    取水部
３１    竪樋本管
３２    竪樋枝管
４      フィルター体
Ｃ      公知の竪樋用集水器
【図１】
2009127277.tif 000003
【図２】
2009127277.tif 000004
【図３】
2009127277.tif 000005
【図４】
2009127277.tif 000006
【図５】
2009127277.tif 000007
【図６】
2009127277.tif 000008